(57)【要約】窓又は他のグレージングパネルに適合するための装置（１０）は、当該装置の両側の離間した位置に配置された第１及び第２ローラー（２０、２１）と、当該ローラー間に延びる長形基板シート（２４）とを備える。基板シートには、その上端（２４ａ）で入射太陽光を上方に反射するように構成された一連の空間的に分離した光学要素（１２）が備えられる。基板（２４）の下端（２４ｂ）は、要素（１２）を有さず、好ましくは、長波長赤外線量を制御する材料から形成され、窓が提供された部屋の状態とする。基板（２４）の端部の位置は、ローラーを回転させることにより変更可能であり、建物に進入する太陽エネルギーを可変制御すると共に、部屋から出る熱量を制御する。装置（１０）は、熱バリアとして機能するように窓に亘って密閉空隙をも提供しうる。【選択図】図１
2012527548.tif 000002
【特許請求の範囲】
【請求項１】
その主要面に配置された一連の空間的に分離した光学要素を有する窓又は他のグレージングパネルを備えるアセンブリであって、
前記各要素は、前記窓又は他のグレージングパネルの平面に一般的に平行に向けられた反射側面を定めると共に、隣接する一連の要素の対応面と実質的に同じ方向を向いており、
当該アセンブリは、前記窓又は他のグレージングパネルに亘って拡張可能な基板を有するエネルギー制御装置をさらに備え、前記基板パネルには、その主要面に配置された一連の空間的に分離した光学要素が備えられ、前記各要素が前記基板平面に一般的に平行に向けられた反射側面を定めると共に、隣接する一連の要素の対応面と実質的に同じ方向を向いていることを特徴とするアセンブリ。
【請求項２】
前記窓上の光学要素は使用時に最上部に取り付けられるその端部に限定されることを特徴とする請求項１に記載のアセンブリ。
【請求項３】
前記窓の反対端が透明であることを特徴とする請求項２に記載のアセンブリ。
【請求項４】
前記基板上の前記光学要素は使用時に最下部に取り付けられるその端部に限定され、その反対端が透明であることを特徴とする請求項１から３のいずれか一項に記載のアセンブリ。
【請求項５】
前記要素の少なくともいくつかは、前記窓又は基板の平面に亘って変化する光透過率、及び、より光透過しない側部で前記窓又は基板の平面に垂直な厚み増加を有し、前記各要素の側部が前記反射面を定めることを特徴とする請求項１から４のいずれか一項に記載のアセンブリ。
【請求項６】
前記要素は、長手状のラインを備え、使用時に一般的に水平に延びることを特徴とする請求項１から５のいずれか一項に記載のアセンブリ。
【請求項７】
前記基板は、前記窓の一側部に取り付けられたローラーから延びることを特徴とする請求項１から６のいずれか一項に記載のアセンブリ。
【請求項８】
窓又は他のグレージングパネルに適合するためのエネルギー制御装置であって、
当該装置の各両側の離間した位置に配置された第１及び第２平行ローラーと、前記各ローラーにその第１及び第２の両端で取り付けられた長形基板シートとを備え、
前記基板シートには、その主要面に配置された一連の空間的に分離した光学要素が備えられ、前記各要素は、前記基板平面に亘って変化する光透過率、及び、そのより光透過しない側部で前記基板平面に垂直な厚み増加を有し、前記各要素の側部は、前記基板平面に一般的に平行に向けられた反射側面を備えると共に、隣接する前記一連の要素の対応面と実質的に同じ方向に向いており、
前記空間的に分離した光学要素の密度が、前記基板の前記第１端から前記第２端にかけて減少することを特徴とするエネルギー制御装置。
【請求項９】
前記ローラーを作動させるための手段が備えられていることを特徴とする請求項８に記載の装置。
【請求項１０】
停止制御手段が、前記要素を運ぶ基板が前記第１ローラーに完全に巻かれることを防止することを特徴とする請求項８又は９に記載の装置。
【請求項１１】
前記基板の第１端及び第２端が、異なる熱機能材料で形成されることを特徴とする請求項８から１０のいずれか一項に記載の装置。
【請求項１２】
前記基板の端部が前記基板の恒久的に相互接続された中間の両端であることを特徴とする請求項１１に記載の装置。
【請求項１３】
前記基板の前記端部は分離可能であることを特徴とする請求項１１に記載の装置。
【請求項１４】
前記基板の端部は、当該端部が分離可能であるが、前記基板の恒久的に相互接続された中間の両端であることを特徴とする請求項１１に記載の装置。
【請求項１５】
前記基板の各側方エッジを受けるチャネルがそれぞれ設けられた側部材を備えることを特徴とする請求項８から１４のいずれか一項に記載の装置。
【請求項１６】
前記側部材は、前記基板の主要面をシーリングするための手段を備えることを特徴とする請求項１５に記載の装置。
【請求項１７】
前記各ローラーがハウジング内に配置されていることを特徴とする請求項８から１０のいずれか一項に記載の装置。
【請求項１８】
前記ハウジングが断熱されていると共に前記ローラーを密閉状態で含有していることを特徴とする請求項１７に記載の装置。
【請求項１９】
前記側部材は、第２基板シートの両側エッジを受けるように構成された追加チャネルを備えることを特徴とする請求項１５に記載の装置。
【請求項２０】
当該装置は、前記２つの基板シート間に密閉空隙を提供するように構成されていることを特徴とする請求項１９に記載の装置。
【請求項２１】
当該装置は、前記窓と前記基板シートとの間に密閉空隙を提供するように構成されていることを特徴とする請求項８から２０のいずれか一項に記載の装置。
【請求項２２】
窓又は他のグレージングパネルを覆うための装置であって、
ローラーと、前記ローラーに取り付けられた基板シートと、前記窓又は他のグレージングパネルの周囲に適合すると共に、前記基板シートが前記窓又は他のグレージングパネルに亘って前記ローラーから拡張されているときに、前記窓又はグレージングパネルに亘って実質的に密閉されたエアポケットを形成するように構成された囲いとを備えることを特徴とする装置。
【請求項２３】
前記基板が低放射性を有する材料を含むことを特徴とする請求項２２に記載の装置。
【請求項２４】
前記基板には、その主要面に配置された一連の空間的に分離した光学要素が備えられており、前記各要素は、前記基板平面に一般的に平行に向けられた反射側面を提供するように前記基板平面に垂直な厚み増加を有すると共に、前記隣接する一連の要素と実質的に同じ方向を向いていることを特徴とする請求項２２又は２３に記載の装置。
【請求項２５】
前記空間的に分離した光学要素の密度は、前記基板シートの一端からその他端にかけて減少することを特徴とする請求項２４に記載の装置。
【請求項２６】
前記要素の少なくともいくつかは、前記基板平面に亘って変化する光透過率を有することを特徴とする請求項２２から２５のいずれか一項に記載の装置。
【請求項２７】
各基板シートを有する一対のローラーを備えることを特徴とする請求項２２から２６のいずれか一項に記載の装置。
【請求項２８】
前記基板シートが互いに平行に延びるように構成されていることを特徴とする請求項２７に記載の装置。
【請求項２９】
前記基板シートがその前縁に沿って１つに結合されていることを特徴とする請求項２８に記載の装置。
【請求項３０】
密閉されたエアポケットが前記基板シート間に提供されていることを特徴とする請求項２９に記載の装置。
【請求項３１】
基板シートと、
前記基板の面に配置され、且つ、前記基板平面に垂直に延びると共に入射光を反射するように構成された各表面を定める、一連の空間的に分離した要素と、を備え、
前記隣接する要素の前記表面が実質的に同じ方向を向いており、前記光学要素のいくつかは、入射光を拡散するように構成された光透過部をさらに備えることを特徴とするグレージングパネル。
【請求項３２】
前記光透過部を有する前記要素が前記基板の第１領域に限定されることを特徴とする請求項３１に記載のグレージングパネル。
【請求項３３】
前記光透過部を有さない前記要素が、前記基板の隣接第２領域に限定されることを特徴とする請求項３１に記載のグレージングパネル。
【発明の詳細な説明】
【技術分野】
【０００１】
本発明は、窓のようなガラス状アセンブリを通って建物の内部に進入する太陽光により生じるグレア及び太陽熱としての太陽エネルギーを可変制御することができると共に、ガラス状アセンブリを通って建物から抜け出る熱としてのエネルギーを制御する装置に関する。
【背景技術】
【０００２】
太陽光を減衰させると共にその方向を変えるために、建物のグレージング（透過）パネル（ｇｌａｚｉｎｇ  ｐａｎｅｌ）の背面に亘ってベネチアンブラインドの形の水平スラット（薄板）を取り付けることがよく知られている。このようなブラインドは、問題に対する一時的な解法であるだけで、これら効果は下げられて正確に調整されているそれらに依存する。
【０００３】
また、太陽光を減衰させると共にその方向を変えるために、ある建物のグレージングパネルの前面に亘ってパーマネント（恒久）水平スラットを取り付けることがよく知られている。このような所謂ブリーズソレイユ（ｂｒｉｓｅ  ｓｏｌｅｉｌ）は、掃除及びメンテナンスが困難であるのと同様に、構築において高価であり、見た目が悪く、且つ、重い。このようなブリーズソレイユは、台湾特許出願第ＴＷ５５２３４４号に開示されている。
【０００４】
当該出願人の同時係属国際特許出願（ＷＯ２００８／０９６１７６号として公開され、内容を本文に援用する。）は、上記課題を軽減するグレージングパネルを開示する。当該グレージングパネルは、ガラスシートと、当該ガラスの主要面に配置された空間的に分離した一連の光学要素とを備え、各要素はガラス平面に平行な幅に亘ってその第１側から第２側に変化する光学透過率を有し、第１側は第２側よりも光透過率が低い。ガラス平面に垂直な各要素の厚みは、第２側のものよりも第１側のものの方が大きい。各要素の第１側は、ガラス平面に一般的に平行に向けられた反射側面を備え、一連の隣接する要素と実質的に同じ方向を向いている。
【０００５】
使用時、要素の反射側面が一般的に上方を向くようにグレージングパネルが設置される。太陽光がグレージングパネルの一面に上方の空から下方に照射すると、上方に向く反射側面への入射光が、部屋の天井又はグレージングパネルの他の側部領域に対して上側に反射される。このように、部屋にいる人々への直接入射光量が実質的に軽減されるが、方向を変えられた光が部屋又は他の領域での十分な程度の自然光を維持する。
【０００６】
要素は、ガラス又はガラスに付着したフィルムに直接的に適用されうる。後者の場合、フィルムは、可視光量及び／又はパネルを通過する太陽エネルギー量を制御するスペクトル選択フィルムを含みうる。
【０００７】
上述のグレージングパネルがグレージングパネルを通過する太陽光によって引き起こされる望ましくない太陽グレア及び熱を制御する非常に効果的な手段を提供するが、例えば、暗い又は寒い日に部屋に進入する光及び／又は太陽エネルギー（熱利得）量を増加させるように、又は、明るい日に部屋に進入する光及び関連する太陽エネルギー量を減少させるように、要素によって覆われたグレージングパネルの量、及び、パネルを通して制御／許容される太陽熱利得及び熱損失の量を変化可能であることがしばしば必要とされる。
【発明の概要】
【発明が解決しようとする課題】
【０００８】
上記課題を解決する窓又は他のグレージングパネルに取り付けるための装置を提供する。
【課題を解決するための手段】
【０００９】
本発明に従って、第１実施例に示したとおり、窓又はグレージングパネルに適合（取着又は嵌合）するためのエネルギー制御装置が提供される。当該装置は、当該装置の各両側の離間した位置に配置された第１及び第２平行ローラーと、各ローラーにその第１及び第２の両端で取り付けられた長形基板シートとを備え、基板シートには、その主要面に配置された一連の空間的に分離した光学要素が備えられ、各要素は、基板平面に亘って変化する光透過率、及び、光学的により透過しない側部で基板平面に垂直な厚み増加を有し、各要素の側部は、基板平面に一般的に平行に向けられた反射側面を備えると共に、一連の隣接する要素の対応面と実質的に同じ方向を向いており、空間的に分離した光学要素の密度が基板の第１端から第２端にかけて減少する。
【００１０】
使用時に、第１及び第２ローラーが窓の上側部及び下側部に隣接配置されるように、且つ、基板シートが窓に亘って延びるように、装置が窓に適合する。暗い日に、窓に亘ってより少ない要素が配置されるか又は要素が配置されないように、或いは、要素が窓の頂部に配置された領域に限定されるように、第１ローラーが基板を巻き込むように作動する。反対に晴れた明るい日に、要素が窓の上端に配置されるように、或いは、要素が窓全体に亘って広がるように、第２ローラーが基板を巻き込むように作動する。
【００１１】
好ましくは、ローラーを作動させるために手段が提供される。これは、引っ張り紐、スライド部材又はモータを含みうる。後者の場合、モータがタイマー装置又は光センサ及び／又は熱センサによって制御されうる。
【００１２】
好ましくは、停止制御手段が、前記要素を搭載する基板が第１ローラーに完全に巻き取られることを防止する。この上位置は、通常、グレア及び日光を制御する目的で処理材料の量を決定するようにプリセットされる。
【００１３】
好ましくは、基板の第１端及び第２端は異なる熱機能材料で形成され、分離可能であってもよいが、好適には基板の恒久的に相互接続された中間の両端である。
【００１４】
好ましくは、基板の少なくとも第１端は、窓を通って部屋に進入する可視光量及び／又は太陽エネルギー（例えば短波長赤外線）量を制御する材料を含む。
【００１５】
好ましくは、基板の少なくとも第２端は、低放射性の材料を備える。低放射性又は所謂ｅ値材料は、長波長赤外線を反射又はフィルタリングするように構成された材料であるので、冬の時期、多くの建物内部の暖かさ（熱）を建物内に反射して戻し建物を保温する。夏の時期、太陽からの熱が反射されて建物を保冷する。すなわち、窓に亘る基板の位置に応じて、短波長及び長波長の赤外線の形のエネルギーを必要に応じて建物に放出又は進入させて、建物のエネルギー需要を制御及び軽減する。
【００１６】
好ましくは、装置は側部材を備え、各々には基板の各側方エッジを受けるチャネル（溝）が設けられている。
【００１７】
部屋内部に伝達可能な日光量を最大させるが、装置が設置された窓又はグレージングパネルを熱損失及び熱利得から保護（断熱）するように、好適には、側部材が基板の主要面をシーリングするための手段を備える。シーリング手段は、基板が上方及び下方に移動することを可能にし、他方、内部環境又は外部環境内に基板周囲の暖められた空気又は冷やされ空気が漏れることを防ぐ。
【００１８】
好ましくは、各ローラーがハウジング内に配置され、それは好適には断熱され、且つ、ローラーを密閉状態で含有する。
【００１９】
好ましくは、側部材が第２の基板シートの両側方エッジを受けるように構成された追加チャネルをそれぞれ備える。
【００２０】
好ましくは、装置は、窓と隣接する基板シートとの間の密閉空隙及び／又は２つの基板シート間の密閉空隙を提供するように構成されている。このように、装置は窓上に第２のグレージングを提供するように機能可能である。
【００２１】
第２基板シートは、追加チャネルに適合された、ガラス、プラスチック又は同様の材料の剛性パネルを備えうる。
【００２２】
或いは、装置は第３ローラーを備え、第２基板シートが第１基板シートに平行にそこから拡張可能である。
【００２３】
第２基板シートが上述の第１基板のスペクトル選択材料のいずれかで形成されうる。
【００２４】
第２基板シートは、その主要面に配置された一連の空間的に分離した光学要素を備え、各要素は、基板平面に亘って変化する光透過率、及び、より透過しない側部で基板平面に垂直な厚み増加を有し、前記各要素は、基板平面に一般的に平行に向けられた反射側面を備えると共に、一連の隣接する要素の対応面と実質的に同じ方向を向いている。
【００２５】
使用時、２つの基板シートの相対位置は、例えば、その上の要素を整列させることによって、窓全体又は一部に亘る要素の密度を増加させるか、あるいは、要素によって覆い隠された窓の範囲を変化させるように変更可能である。
【００２６】
好ましくは、使用者が互いに基板シートを適切に整列させることによって、要素で反射された光の角度を選択可能であるように、各基板の空間的に分離した光学要素の密度は異なる方向及び好適には反対方向に変化可能である。
【００２７】
つまり、本発明の装置は、窓のｕ値及びｇ因子を著しく改善するので、照明、冷却及び空間暖房の目的のために建物が消費するエネルギー量を削減する。
【００２８】
基板の第１及び第２端に使用される材料の配置及び選択に応じて、装置が多くのエネルギー利得を提供する。
【００２９】
また、本発明に応じて、第２実施例に示すようなアセンブリが提供される。当該アセンブリは、その主要面に配置された一連の空間的に分離した光学要素が備えられた窓又は他のグレージングパネルを備え、各要素は窓又はグレージングパネルの平面に一般的に平行に向けられた反射側面を定めると共に一連の隣接する要素の対応面と実質的に同じ方向を向いており、当該アセンブリは、窓又は他のグレージングパネルに亘って拡張可能な基板を有するエネルギー制御装置をさらに備え、基板パネルには、その主要面に配置された一連の空間的に分離した光学要素が備えられ、各要素は、基板平面に一般的に平行に向けられた反射側面を定めると共に一連の隣接する要素の対応面と実質的に同じ方向を向いている。
【００３０】
好ましくは、窓上の光学要素は使用時に最上部に取り付けられたその端部に限定される。夏の時期、基板が窓に亘って拡張されず、そして、窓の上方領域の空間的に分離した光学要素が高角の太陽光を反射して建物に直射光線が進入することを防止するように機能する。窓の下方領域を通る遮られない視野を許容するように、窓の反対端は好適には透明である。
【００３１】
冬の時期、太陽の角度が低いとき、基板上の空間的に分離した光学要素が窓の反対端に亘って広がることによって要素によって覆われる窓領域を増加させるように、基板を窓に亘って拡張可能である。
【００３２】
好ましくは、基板上の光学要素は使用時に最下部に取り付けられたその端部に限定され、その反対端が透明である。
【００３３】
好ましくは、要素の少なくともいくつかは、窓又は基板平面に亘って変化する光透過率、及び、光がより透過しない側部で窓又は基板平面に垂直な厚み増加を有し、各要素の側部が反射面を定める。
【００３４】
好ましくは、要素が使用時に一般的に水平に延びる長手ラインを備える。
【００３５】
好ましくは、基板が窓の一方側に取り付けられたローラーから延びる。
【００３６】
また、本発明に従って、第３実施例に示すとおり、窓又は他のグレージングパネルを断熱するための装置が提供される。当該装置は、ローラーと、ローラーに取り付けられた基板シートと、基板シートが窓又は他のグレージングパネルに亘ってローラーから拡張されたときに、窓又は他のグレージングパネルに亘って密閉エアポケットを実質的に形成するように構成された、窓又は他のグレージングパネルの周りに適合するための囲いと、を備える。
【００３７】
このように、装置は窓又は他のグレージングパネルに亘って第２のグレージングの形を提供するように機能する。これによって、建物のｕ値または熱伝達係数を改善する。
【００３８】
好ましくは、基板は低放射性を有する材料を備える。低放射性すなわちｅ値材料は、赤外線を反射又はフィルタリングするように構成された材料であるので、冬の時期、建物内の多くの暖かさ（熱）を建物内に反射して戻して建物を保温する。夏の時期、太陽からの熱は反射されて建物を保冷する。
【００３９】
好ましくは、基板シートは、その主要面に配置された一連の空間的に分離した光学要素を備え、基板平面に垂直な厚み増加を有し、そして、基板平面に一般的に平行に向けられた反射側面を提供し、一連の隣接する要素と実質的に同じ方向を向いている。
【００４０】
好ましくは、空間的に分離した光学要素の密度は基板シートの一端から他端にかけて減少する。
【００４１】
好ましくは、要素の少なくともいくつかは、基板平面に亘って変化する光透過率を備え、好適にはより透過しない隣接反射側面である。
【００４２】
装置は各基板シートを有する一対のローラーを備えうる。
【００４３】
好ましくは、基板シートが互いに平行に延びるように構成されている。
【００４４】
一実施形態では、一方の基板シートがフィルター材料を備え、他方が空間的に分離した光学要素を備える。
【００４５】
基板シートが互いに独立式に拡張可能である。
【００４６】
別実施形態では、基板シートの両方が空間的に分離した光学要素を備え、好ましくは、空間的に分離した光学要素の密度が異なる方向及び好適には反対方向に変化するので、使用者が互いに基板シートを適当に整列させることによって要素で反射される光量を選択可能である。
【００４７】
あるいは、基板シートが、例えばその前縁に沿って１つに結合する。
【００４８】
好ましくは、密閉エアポケットが基板間に提供される。代替的に又は付加的に、密閉エアポケットが窓又は他のグレージングパネルと隣接する基板シートとの間に提供される。
【００４９】
好ましくは、各シートの側部がチャネル形状の側方フレーム部材に密閉状態で延びる。
【００５０】
好ましくは、各シートの前縁が底部フレーム部材内に又は底部フレーム部材をシーリングするように構成されている。
【００５１】
好ましくは、各ローラーがハウジング内に密閉状態で含有され、好適には基板をシーリングするように構成された長手開口を有する。
【００５２】
また、本発明に従って、第４実施形態に示すようなグレージングパネルが提供される。当該グレージングパネルは、基板シートと、前記基板表面に配置された一連の空間的に分離した光学要素とを備え、基板平面に垂直に延びると共に入射光を反射するように構成された反射表面を定め、隣接する要素の表面が実質的に同じ方向を向き、光学要素のいくつかだけが入射光を拡散するように構成された光透過部をさらに備える。
【００５３】
好ましくは、光透過部を有する要素が例えばその第１端で基板の第１領域に限定される。使用時、窓開口に亘って第１端が最上部に取り付けられうる。
【００５４】
好ましくは、光透過部を有さない要素が例えば第１領域に隣接して配置された基板の第２領域に限定される。
【００５５】
好ましくは、前記部分の光透過率が全要素又は要素の一部に亘って基板平面の平行方向に各要素の第１側から第２側へ変化する。
【００５６】
好ましくは、第１側が第２側よりも光透過率が小さい。
【００５７】
好ましくは、第１側が反射面を定める。
【００５８】
本発明の実施形態を実施例によって図面を参照して説明する。
【図面の簡単な説明】
【００５９】
【図１】本発明に従った窓又はグレージングパネルに適合するための装置の実施形態の斜視図。
【図２】図１のＩＩ−ＩＩ断面図。
【図３】図２のＩＩＩ−ＩＩＩ断面図。
【図４】光学要素を示す、図１の装置の上方基板の断面図。
【図５】図４の光学要素の拡大断面図。
【図６】別の光学要素を示す、図１の装置の上方基板の断面図
【図７】窓に適合したときの図１の装置の斜視図。
【図８】本発明に従った窓又は他のグレージングパネルに適合した別実施形態の装置の断面図。
【図９】本発明に従った窓又は他のグレージングパネルに適合したときの別実施形態の装置の斜視図。
【発明を実施するための形態】
【００６０】
図１から３を参照して、窓又は他のグレージングパネルのための開口を囲む建物内面に適合（嵌合）する装置１０を示す。この装置は、上方及び下方ローラー２０、２１を備え、これらは各長手ハウジング２２、２３の内部に密閉状態で取り付けられている。ハウジングは好ましくは断熱材料で裏打ちされている。長形基板シート２４が、各ローラー２０、２１にその上端及び下端で取り付けられている。ハウジング２２、２３は基板２４の前面及び後面を密閉（シーリング）するように配置されている。
【００６１】
基板２４の両側エッジが、装置の各側部材２５に形成されたチャネル（溝）２６にそれぞれ受容されている。各チャネル２６の両面には、それぞれが基板２４の内面及び外面を密閉する、長手方向に延びるストリップ（薄片）又はブラシ２７が備えられている。任意に、側部材２５は、好ましくはガラス又は同様の材料で形成された剛性基板パネル２９の各側方エッジを受けるための追加チャネル２８とともに形成可能である。好ましくは、チャネル２８の両面には、パネル２９の内面及び外面をそれぞれ密閉する長手状のシーリング部材３０が備えられる。好ましくは、グレージングパネル２９の上側及び下側エッジが、上方及び下方ハウジング２２、２３にそれぞれ形成された同様のチャネル（図示せず）に受容される。
【００６２】
基板２４の上端はスペクトル選択プラスチック材料シート２４ａを備え、それは窓を通って建物に進入する可視光量及び／又は太陽エネルギー量を制御する。図４又は５で説明するように、材料シート２４ａには、複数の光学要素１２が備えられる。基板２４の下端は高いｕ値を有する材料シート２４ｂを備え、要素１２を含まない。
【００６３】
図４及び図５に示すとおり、基板２４の上方シート２４ａは、基板材料４０の両側エッジ間に延びる水平方向に平行な線形の複数の長手状の光学要素１２を備える。
【００６４】
光学要素１２は、基板２４の内面上に直接デジタル処理でプリントされる。各要素１２は、一般的に断面視三角形であり、且つ、基板２４平面に垂直に横たわるフラットな上面を一般的に備える。各要素１２の厚みは、その下側エッジに向かって除々に減少する。各要素１２は一連の白又は明色のピクセルを堆積することによって構築され、当該要素１２の厚みはピクセル間のスペーシング及び／又は重なりの度合いを調整することによって変化する。各要素１２の最厚部は、重なりピクセルの密度がより高い配列（アレイ）を堆積することによって形成される。他方、より薄い領域は、より広範に離隔したピクセルを堆積することによって形成される。例示では、インク密度（例えば、ピクセル密度）が上側エッジでの１００％から下側エッジでの１０％へと線形的に変化する。しかしながら、要素は説明の目的のために示されているような断面視三角形である必要はない。
【００６５】
各要素１２の上面は、基板２４の表面からの高さＸを有する所謂光棚１３を定める。各光棚１３は、幅Ｙを有する基板２４の隣接する非プリントクリア（透明）領域１４に面する。距離Ｘ及びＹは可変パラメータであり、好ましくは等しい。
【００６６】
要素１２は内面又は基板２４を通して建物の外部に向けられる所謂グレア制御パネル１５を備える。また、各グレア制御パネル１５の高さＺも可変パラメータであり、好ましくはＹに反比例して変化する。
【００６７】
使用時、太陽光線Ｓ１、Ｓ２が空から窓を通って基板２４に下方に照射する。例えばＳ１のような入射光線のいくつかは、基板を通って建物内の人やワーク表面に下方に通過する代わりに、要素１２の上側面で形成された所謂光棚１３に衝突し、そして、部屋内に上方に反射されると共に等しく且つ反対の角度に方向転換される。好ましくは、反射光が減衰することなく、すなわち、部屋に進入する反射光のレベルがパネルを直線通過するであろうレベルと等しい。
【００６８】
例えばＳ２のような他の入射光線が所謂グレア制御パネル１５に衝突し、当該制御パネル１５はパネルの特性に従って光を反射し、減衰させ、拡散させる。これによって、より柔らかく且つより拡散した光が室内に直接照射されることを可能にする。グレア制御パネル１５に使用されるインクの色を調整することによって、透過光の色を変化させることが可能である。グレア制御パネル１５の幅Ｚを調整することによって、直接光量を変化させることが可能である。光棚１３の高さＸを変化させることによって、反射光量を調整可能である。
【００６９】
別実施形態では、光棚１３が金属化又は反射層４１でコーティングされてもよい。あるいは、その上方エッジにさらに反射し易い色を有する要素１２を配置することによって反射層を形成してもよい。
【００７０】
図６に示すとおり、要素１２の垂直スペーシングＹが除々に減少する。あるいはそうでなければ基板２４の上方シート２４ａの頂部から底部にかけて変化する。各グレア制御パネル１５の平均光透過率は徐々に増加する。あるいはそうでなければ、基板２４の上方シート２４ａの頂部から底部に掛けて変化する。グレア制御パネル１５は要素１２のいくつかには存在しなくてもよく、（要素１２は）光棚１３だけを備える。これら後者の要素１２は、例えば、グレア制御パネル１５を有する要素１２を含有する領域下方のような基板２４ａの離散領域に提供されてもよい。
【００７１】
すなわち、本発明は、建物に進入する光量を管理及び制御するように、プリント面の所望の位置にデジタル処理で配置可能な大小様々のサイズ及びプリント強度に設計及びプリントされたパターンのシステムを提供する。基板パネルからの要素の光学高さ及び要素密度は、特定の利用に沿うように変更可能である。
【００７２】
図１に示すとおり、窓開口に亘って配置される基板シート２４ａ、２４ｂの比率を変更するように、ローラー２０、２１を作動させるための手段３１が提供される。下方シート２４ｂは光学要素１２を有しておらず、すなわち、シート２４ａがより露出されていないとき、より多くの光が建物内に許容される。シート２４ｂは高いｕ値を有し、上方シート２４ａがより露出されていないときに、冬期の間、建物から熱が逃げることを防止するように機能する。夏期の間、建物に進入する光量を管理及び制御するために、上方シート２４ａをより多く露出させるようにローラー２０、２１を作動可能である。基板の上方及び下方シート２４ａ、２４ｂの位置を時間帯、時期、温度及び／又は入射光量に応じて自動的に制御可能であることが考えられる。
【００７３】
任意のグレージングパネル２９の構築は、補助的なグレージング特性及び建物を断熱するための補助を提供する。グレージングパネル２９は、基板２４と窓との間に配置可能である。あるいは、グレージングパネル２９と窓との間に提供された空隙内に基板を含有するように基板２４の内側に配置可能である。
【００７４】
図７に示すとおり、図１の装置１０は、装置上の前述の要素１２に対応する光学要素１２０を備えた窓又は他のグレージングパネル４２に亘って適合されうる。光学要素１２を明確にするために図６の領域２４ａから省略する。光学要素１２０は、下方シート２４ｂが上げられたときに窓の下端を遮らないように、窓４２の上方領域に限定される。晴れた日には、その上の光学要素１２が窓４２上の要素１２０の下方正面に配置されるように、シート２４ａの上端が引き下げられる。
【００７５】
図８は、窓又は他のグレージングパネル１０２のための開口を囲む建物の内部表面１０１に適合される別の装置１００を示す。装置１００は、長手ハウジング１０５内に密閉状態で取り付けられた外方及び内方ローラー１０３、１０４を備える。当該ハウジングは好ましくは断熱材料（図示せず）で裏打ちされている。長形基板シート１０６、１０７は各ローラー１０３、１０４に取り付けられている。ハウジング１０５は、各基板１０６、１０７の前面及び後面をシーリングするように構成されている。
【００７６】
基板１０６、１０７の両側エッジは、装置の各側部材１０８に形成されたチャネル２６にそれぞれ受容される。各チャネル２６の両面には、基板１０６、１０７の内面及び外面をそれぞれシーリングする長手ストリップ又はブラシ２７が備えられている。任意に、側部材２５は、好ましくはガラス又は同様の材料で形成された剛性基板パネル２９の各側方エッジを受けるための追加チャネル２８と共に形成可能である。
【００７７】
基板が窓１０２に亘って拡張するとき、熱バリアとして機能する密閉空隙１１０が基板１０６、１０７間に形成されるように、基板１０６、１０７の下端はバー１０９に密閉状態で取り付けられる。例えば、一方の基板１０６には、少なくともその上端に図５又は６に示した種類の光学要素１２が備えられる。例えば、他方の基板１０７は、低いｅ値を有する材料を含みうる。光学要素１２０は窓１０２にもまた提供されうる。
【００７８】
図９は、窓２０１の開口を囲む建物の内部表面に適合される別の装置２００を示す。窓２０１には、その主要面に配置された線形の一連の空間的に分離した光学要素１２ａが備えられている。各要素１２ａは、窓２０１の平面に一般的に平行であるように向けられた反射側面を定めると共に、一連の隣接する要素１２ａの対応面と実質的に同じ方向を向いている。
【００７９】
要素１２ａは窓２０１の頂部の領域に制限される。要素１２ａは、図４から７に示された種類のものである。窓２０１の下端には要素１２ａが備えられていない。要素は窓２０１に付着したフィルムに提供されうる。フィルムは、短波長赤外線（すなわち、太陽熱）を反射する材料を含みうる。フィルムは、窓２０１全体に亘って延びることができる。
【００８０】
装置２００は、窓２０１の上端に亘って延びるハウジング２０２に取り付けられたローラー（図示せず）を備える。基板２０３がローラーから延びると共に窓２０１に亘って拡張可能である。また、基板２０３には、その主要面に配置された同様の一連の空間的に分離した光学要素１２ｂが備えられている。各要素が、基板平面に一般的に平行に向けられた反射側面を定めると共に、対応する一連の隣接する要素の対応面と実質的に同じ方向を向いている。
【００８１】
要素１２ｂは基板２０３の下方前縁の領域に制限される。要素１２ｂは図４から図７に開示された種類のものである。基板２０３の上端には、要素１２ｂが設けられていない。基板は長波長赤外線（すなわち建物内からの熱）を反射する低いｅ値材料を含みうる。
【００８２】
基板２０３が拡張されているとき、装置２００が窓２０１と基板２０３との間の密閉エアポケットを形成し、これによって窓のｕ因子を改善する。
【００８３】
夏の時期には、示されたとおり、基板２３０が窓に亘って拡張されず、窓２０１の上方領域の空間的に分離した光学要素１２ａが高角度の太陽光を反射するように機能し、全ての直射光が建物に進入することを防止する。窓２０１の下端は空いており、視界を遮断しない。
【００８４】
冬の時期には、太陽の角度がより低いとき、基板上の空間的に分離した光学要素１２ｂが窓２０１の下端に亘って延びるように、示されたように基板２０３を窓２０１に亘って拡張することができる。これによって、要素によって覆われる窓の領域が増加する。
【００８５】
基板上の光学要素は、好ましくは、使用において最下端に取り付けられたその端部に限定され、その反対端が空いている。
【００８６】
本発明は、建物に進入する光量を可変制御し、且つ、建物に進入する又は放出される熱量を可変制御する単純且つ効果的な手段を提供する。本発明の実施形態は、１以上の形態及びその好適な特徴を備えることは明らかである。
【図１】
2012527548.tif 000003
【図２】
2012527548.tif 000004
【図３】
2012527548.tif 000005
【図４】
2012527548.tif 000006
【図５】
2012527548.tif 000007
【図６】
2012527548.tif 000008
【図７】
2012527548.tif 000009
【図８】
2012527548.tif 000010
【図９】
2012527548.tif 000011
【国際調査報告】
2012527548.tif 000012
2012527548.tif 000013
2012527548.tif 000014
2012527548.tif 000015
2012527548.tif 000016